【事件の表示】
　特願２００１−１４２３５５「内燃機関の希薄排ガスから窒素酸化物およびカーボンブラック粒子を除去するための方法および排ガス浄化装置」拒絶査定不服審判事件〔平成１４年　１月２３日出願公開、特開２００２−　２１５４４〕について、次のとおり審決する。
【結　論】
　本件審判の請求は、成り立たない。
【理　由】
第１　手続の経緯
　本件出願（以下、「本願」という。）は、平成１３年５月１１日（パリ条約による優先権主張２０００年５月１２日、ドイツ）の出願であって、平成２２年５月２４日付けで拒絶理由が通知され、平成２２年９月３０日付けで意見書及び手続補正書が提出されたが、平成２３年２月２日付けで拒絶査定がなされ、これに対し、平成２３年６月８日付けで拒絶査定不服審判が請求されると同時に、同日付けで明細書を補正する手続補正書が提出され、その後、当審において、平成２３年１２月１９日付けで書面による審尋がなされ、平成２４年３月９日付けで回答書が提出されたものである。
　
　
第２　平成２３年６月８日付け手続補正について
（１）平成２３年６月８日付けの手続補正書による手続補正（以下、単に「本件補正」という。）は、明細書の特許請求の範囲に関して、本件補正により補正される前の（すなわち、平成２２年９月３０日付けの手続補正書によって補正された）明細書の特許請求の範囲の以下の（ａ）に示す請求項１ないし７を、（ｂ）に示す請求項１ないし４に補正するものである。
　
　（ａ）本件補正前の明細書の特許請求の範囲
「　【請求項１】　硫黄酸化物の僅かな濃度をも有する、内燃機関の希薄排ガスから窒素酸化物およびカーボンブラック粒子を除去するための方法において、
排ガス流を窒素酸化物蓄積触媒および粒子フィルター上に導き、その際窒素酸化物および硫黄酸化物は、蓄積触媒によって希薄排ガス条件下で吸着され、およびカーボンブラック粒子は、粒子フィルター上で析出され、蓄積触媒を第１の作業周期で周期的に排ガスの過濃化によって脱ニトロ化し、粒子フィルターの再生ならびに窒素酸化物蓄積触媒の脱硫を、第２の作業周期で、カーボンブラック焙焼残分が粒子フィルター上で引火しかつその後に蓄積触媒が排ガスの過濃化により脱硫されうる値に希薄排ガスの温度を上昇させることにより、行なうことを特徴とする、内燃機関の希薄排ガスから窒素酸化物およびカーボンブラック粒子を除去するための方法。
　　【請求項２】　窒素酸化物蓄積触媒を排ガス流中で粒子フィルターの前方に配置し、排ガス温度を粒子フィルターの再生および蓄積触媒の脱硫のために炭化水素の燃焼によって蓄積触媒上で上昇させ、そのために必要とされる炭化水素を内燃機関の燃焼室中への燃料の後噴入によって排ガス流に供給するかまたは蓄積触媒の前方で燃料インゼクターにより、正味の酸化排ガス組成を維持しながら排ガス流へ噴射し、内燃機関のカーボンブラック焙焼残分の引火後に蓄積触媒の脱硫のために、過濃化された空気／燃料混合気と一緒に運転し、還元性の排ガス組成物を製造する、請求項１記載の方法。
　　【請求項３】　排ガス流を順次に窒素酸化物蓄積触媒上および粒子フィルター上に導き、第３の作業周期で粒子フィルターの再生だけを希薄排ガス組成の際に粒子フィルターの前方でのカーボンブラック引火温度への排ガス温度の上昇によって行なう、請求項１記載の方法。
　　【請求項４】　粒子フィルターの前方に酸化触媒を排ガス中に配置し、第３の作業周期で排ガス温度の上昇のために炭化水素を正味の酸化排ガス組成を維持しながら酸化触媒の前方で排ガス流へ噴射し、酸化触媒に接して燃焼させる、請求項１記載の方法。
　　【請求項５】　請求項１から４までのいずれか１項に記載の方法を実施するための排ガス浄化装置において、窒素酸化物蓄積触媒および粒子フィルターを有することを特徴とする、請求項１から４までのいずれか１項に記載の方法を実施するための排ガス浄化装置。
　　【請求項６】　窒素酸化物蓄積触媒が排ガス流中で粒子フィルターの前方に配置されていることを特徴とする、請求項５記載の排ガス浄化装置。
　　【請求項７】　請求項４記載の方法を実施するための排ガス浄化装置において、排ガス流中に窒素酸化物蓄積触媒、酸化触媒、粒子フィルターおよび炭化水素のための燃料インゼクターが順次に配置されて備えられており、燃料インゼクターが窒素酸化物蓄積触媒と酸化触媒との間に配置されていることを特徴とする、請求項４記載の方法を実施するための排ガス浄化装置。」
　
　（ｂ）本件補正後の明細書の特許請求の範囲
「　【請求項１】　硫黄酸化物の僅かな濃度をも有する、内燃機関の希薄排ガスから窒素酸化物およびカーボンブラック粒子を除去するための方法において、
排ガス流を窒素酸化物蓄積触媒および粒子フィルター上に導き、その際窒素酸化物および硫黄酸化物は、蓄積触媒によって希薄排ガス条件下で吸着され、およびカーボンブラック粒子は、粒子フィルター上で析出され、蓄積触媒を第１の作業周期で周期的に排ガスの過濃化によって脱ニトロ化し、粒子フィルターの再生ならびに窒素酸化物蓄積触媒の脱硫を、第２の作業周期で、カーボンブラック焙焼残分が粒子フィルター上で引火しかつその後に蓄積触媒が排ガスの過濃化により脱硫されうる値に希薄排ガスの温度を上昇させることにより、行なうことを特徴とする、内燃機関の希薄排ガスから窒素酸化物およびカーボンブラック粒子を除去するための方法。
　　【請求項２】　窒素酸化物蓄積触媒を排ガス流中で粒子フィルターの前方に配置し、排ガス温度を粒子フィルターの再生および蓄積触媒の脱硫のために炭化水素の燃焼によって蓄積触媒上で上昇させ、そのために必要とされる炭化水素を内燃機関の燃焼室中への燃料の後噴入によって排ガス流に供給するかまたは蓄積触媒の前方で燃料インゼクターにより、正味の酸化排ガス組成を維持しながら排ガス流へ噴射し、内燃機関のカーボンブラック焙焼残分の引火後に蓄積触媒の脱硫のために、過濃化された空気／燃料混合気と一緒に運転し、還元性の排ガス組成物を製造する、請求項１記載の方法。
　　【請求項３】　排ガス流を順次に窒素酸化物蓄積触媒上および粒子フィルター上に導き、第３の作業周期で粒子フィルターの再生だけを希薄排ガス組成の際に粒子フィルターの前方でのカーボンブラック引火温度への排ガス温度の上昇によって行なう、請求項１記載の方法。
　　【請求項４】　粒子フィルターの前方に酸化触媒を排ガス中に配置し、第３の作業周期で排ガス温度の上昇のために炭化水素を正味の酸化排ガス組成を維持しながら酸化触媒の前方で排ガス流へ噴射し、酸化触媒に接して燃焼させる、請求項１記載の方法。」
　
（２）本件補正の目的
　本件補正は、本件補正前の明細書の特許請求の範囲の請求項１ないし７のうち、請求項５ないし７の削除を目的とするものである。
　したがって、特許請求の範囲についての本件補正は、平成１８年法律第５５号附則第３条第１項によりなお従前の例によるとされる同法による改正前の特許法第１７条の２第４項第１号に掲げる請求項の削除を目的とするものに該当する。
　
　
第３　刊行物に記載された発明
　原査定の拒絶の理由に引用された、本願の優先日前に頒布された刊行物である特開平６−２７２５４１号公報（以下、「刊行物」という。）には、図面とともに、例えば、次のような事項が記載されている。（なお、下線は理解の一助のため当審で付した。） 
　
　（ａ）「【０００１】
【産業上の利用分野】
本発明は内燃機関の排気浄化装置に関し、詳細にはディーゼルエンジンの排気中に含まれるＮＯ
X
 成分を効果的に除去可能な排気浄化装置に関する
【０００２】
【従来の技術】特開昭６２−１０６８２６号公報には、排気ガスの空燃比がリーンのときにはＮＯX を吸収し排気ガス中の酸素濃度が低下すると吸収したＮＯX を放出するＮＯX 吸収剤をディーゼル機関の排気通路内に配置し、このＮＯX 吸収剤に排気中のＮＯX を吸収させ、
ＮＯ
X
 吸収剤の吸収効率が低下したときに排気の流入を遮断してＮＯ
X
 吸収剤に還元剤を供給し、ＮＯ
X
 吸収剤から吸収したＮＯ
X
 を放出させるとともに放出されたＮＯ
X
 の還元浄化を行う内燃機関の排気浄化装置が開示されている
【０００３】また、
ディーゼルエンジンの排気中に多く含まれる排気微粒子（パティキュレート）の大気放出を防止するためにディーゼルエンジンの排気通路にパティキュレートフィルタを配置して排気中のパティキュレートを捕集することが知られている
　
　（ｂ）「【０００４】
【発明が解決しようとする課題】
ＮＯ
X
 吸収剤は、上述のようにリーン空燃比の排気中のＮＯ
X
 を吸収し、排気中の酸素濃度が低下すると吸収したＮＯ
X
 を放出するＮＯ
X
 の吸放出作用を行う
排気中に硫黄酸化物（ＳＯ
X
 ）が存在するとＮＯ
X
 吸収剤はＮＯ
X
 の吸収作用を行うのと全く同じメカニズムで排気中のＳＯ
X
 の吸収を行う
【０００５】ところが、
ＮＯ
X
 吸収剤に吸収されたＳＯ
X
 は安定な硫酸塩を形成するため一般に分解、放出されにくく、ＮＯ
X
 吸収剤内に蓄積されやすい傾向がある
ＮＯ
X
 吸収剤内のＳＯ
X
 蓄積量が増大すると、ＮＯ
X
 吸収剤のＮＯ
X
 吸収容量が減少して排気中のＮＯ
X
 の除去を十分に行うことができなくなるため、ＮＯ
X
 の浄化効率が低下するいわゆるＳＯ
X 
被毒が生じる問題がある
特に、燃料として比較的硫黄成分を多く含む軽油を使用するディーゼルエンジンにおいてはこのＳＯ
X
被毒の問題が生じやすい
【０００６】
一方、ＮＯ
X
 吸収剤に吸収されたＳＯ
X
 についても、ＮＯ
X
 の放出、還元浄化と同じメカニズムで放出、還元浄化が可能であることが知られている
このため、ＳＯ
X
 被毒を解消するためには、ＮＯ
X
 吸収剤を通常の再生操作時より高い温度（例えば５００度Ｃ以上）に昇温し、かつ流入する排気の空燃比をリッチにする被毒解消操作を定期的に行う必要がある
【０００７】このため、比較的排気温度が低いディーゼルエンジン等ではＳＯX 被毒解消操作のために電気ヒータ、バーナ等の加熱手段を設け一定期間毎に通常より高い温度にＮＯX 吸収剤を加熱することが必要となり、加熱手段の設置による装置コストの上昇や加熱に要するエネルギのための燃費増大の問題が生じていた。
本発明は、上記問題に鑑み、特別な加熱手段を設けることなく簡易にＮＯ
X
 吸収剤のＳＯ
X
 被毒解消操作を行うことのできる内燃機関の排気浄化装置を提供することを目的としている
　
　（ｃ）「【０００８】
【課題を解決するための手段】
本発明によれば、流入排気の空燃比がリーンのときにＮＯ
X
 を吸収し流入排気の酸素濃度が低下したときに吸収したＮＯ
X
 を放出するＮＯ
X
 吸収剤をディーゼルエンジンの排気通路に配置して排気中のＮＯ
X
 を吸収させ、ＮＯ
X
 吸収後に前記ＮＯ
X
 吸収剤に流入する排気空燃比をリッチにして前記ＮＯ
X
 吸収剤から吸収したＮＯ
X
 を放出させるとともに放出されたＮＯ
X
 を還元浄化する排気浄化装置において、前記ＮＯ
X
 吸収剤と排気中の微粒子を捕集するパティキュレートフィルタとを相互に熱伝達可能な位置に配置し、ＮＯ
X
 吸収剤に流入する排気空燃比をリッチにして前記ＮＯ
X
 の放出と還元浄化を行い、その後前記パティキュレートフィルタに捕集されたパティキュレートを燃焼させ、このパティキュレート燃焼操作終了後に再度前記ＮＯ
X
 吸収剤に流入する排気空燃比をリッチにしてＮＯ
X
 吸収剤のＳＯ
X
 被毒を解消する
【０００９】
【作用】
ＮＯ
X
 吸収剤に流入する排気空燃比がリッチになると、排気中の酸素濃度が急激に低下してＮＯ
X
 吸収剤に吸収されたＮＯ
X
 が放出され、排気中の未燃ＨＣ成分と反応して還元浄化される
次いで排気空燃比をリーンにしてパティキュレートフィルタに捕集されたパティキュレートの燃焼が行われ、パティキュレートフィルタは高温になる
ＮＯ
X
 吸収剤とパティキュレートフィルタとは相互に熱伝達可能な位置に配置されているため、このときＮＯ
X
 吸収剤も高温になる
【００１０】
次いで、パティキュレートの燃焼が終了すると排気空燃比は再度リッチにされる。このため、ＮＯ
X
 吸収剤は高温かつリッチ雰囲気条件になり、ＮＯ
X
 吸収剤からＳＯ
X
 が放出され、ＳＯ
X
 被毒が解消する
　
　（ｄ）「【００１１】
【実施例】図１に本発明の第一の実施例を示す。図１において、２はディーゼルエンジン、４は吸気通路、６は排気通路を夫々示す。吸気通路４内には吸気絞り弁８が設けられ、この吸気絞り弁８は通常時は全開とされており、後述のようにＮＯX 吸収剤の再生を行う際に閉弁され、エンジン２の吸入空気量を絞りＮＯX 吸収剤に流入する排気流量を低減する。これにより、排気中の酸素を消費してＮＯX 吸収剤雰囲気の酸素濃度を低下させるために必要な還元剤の量が低減される。図に１６で示すのは吸気絞り弁８を駆動するソレノイド、負圧アクチュエータ等の適宜な形式のアクチュエータである。
【００１２】
排気通路６の途中には、パティキュレートフィルタ１０が配置される
１２はパティキュレートフィルタ１０上流側の排気通路６に還元剤を供給してＮＯ
X
 吸収剤に流入する排気空燃比をリッチにするための還元剤供給装置である
【００１３】パティキュレートフィルタ１０と還元剤供給装置１２との間の排気通路６には排気温センサ１４が配置され、この排気温センサ１４の検出信号は電子制御ユニット（ＥＣＵ）３０に入力される。
ＥＣＵ３０は
本実施例ではＮＯ
X
 吸収剤の再生、パティキュレートの燃焼、ＮＯ
X
 吸収剤のＳＯ
X
 被毒解消等の制御をも行っている
これらの制御のため、ＥＣＵ３０は、吸気絞り弁８を駆動するアクチュエータ１６、および還元剤供給装置１２を制御して、吸気絞り弁８の開閉と還元剤供給装置１２からの還元剤の供給の調節を行う
【００１４】図２にはパティキュレートフィルタ１０の拡大断面図を示す。
図２を参照すると、パティキュレートフィルタ１０は多孔質セラミックから成り、排気ガスは矢印で示されるように図中左から右に向かって流れる
排気ガスが図中左から右に向かって流れると、排気ガスは第２通路２４から多孔質セラミックの流路壁面を通過して第１通路２２に流入し、下流側に流れる
このとき、排気ガス中のパティキュレートは多孔質セラミックによって捕集され、パティキュレートの大気への放出が防止される
【００１５】
第１および第２通路２２および２４の壁面にはＮＯ
X
 吸収剤２６が担持されている
ＮＯ
X
 吸収剤２６は流入排気ガスの空燃比がリーンのときにはＮＯ
X
 を吸収し、流入排気ガス中の酸素濃度が低下すると吸収したＮＯ
X
 を放出するＮＯ
X
 の吸放出作用を行う
【００１６】
本実施例ではディーゼルエンジンが使用されているため、通常時の排気空燃比はリーンでありＮＯ
X
 吸収剤２６は排気中のＮＯ
X
 の吸収を行う
また、還元剤装置１２からパティキュレートフィルタ１０上流側の排気通路に還元剤が供給されて流入排気の空燃比がリッチになるとＮＯ
X
 吸収剤２６は吸収したＮＯ
X
 の放出を行う
　
　（ｅ）「【００２３】次に図４を参照しつつ本実施例の動作について説明する。
図４はＮＯ
X
 吸収剤２６のＳＯ
X
 被毒解消操作の制御ルーチンを示すフローチャートである
図４を参照すると、まず、ステップ４０でＮＯ
X
 吸収剤２６からの上記ＮＯ
X
の放出、還元浄化操作（再生操作）の実行条件が成立したか否かが判定される
ＮＯ
X
 吸収剤再生開始条件は、例えば、減速時であり、ＮＯ
X
 吸収剤２６が活性化温度以上であり、かつ前回再生を実行してから所定時間以上経過していること等である
【００２４】一方、
ステップ４０においてＮＯ
X
 吸収剤再生開始条件が成立した場合、ステップ４６に進み、ＮＯ
X
 吸収剤再生開始条件が成立した時からの経過時間Ｔが予め定められた第１の時間Ｔ
1
 より小さいか否か判定される
Ｔ＜Ｔ
1
 の場合、ステップ４８に進み吸気絞り弁８が閉弁される
これによってパティキュレートフィルタ１０に流入する空気量が減少される
次いで、ステップ５０で、還元剤供給装置１２から燃料が供給される
供給された燃料はＮＯ
X
 吸収剤２６の触媒作用によって燃焼し排気ガス中の酸素が消費される
これによって、前述のように、ＮＯ
X
 吸収剤２６からＮＯ
X
 が放出され、この放出されたＮＯ
X
 は還元浄化されることとなる
【００２５】次いで、ステップ４６でＴ≧Ｔ1 と判定された場合、すなわち、
ＮＯ
X
 吸収剤２６の再生が完了したと判定された場合、ステップ５２に進み、経過時間Ｔが予め定められた第２の時間Ｔ
2
 より小さいか否か判定される
Ｔ＜Ｔ
2
 の場合、すなわち燃焼時間内である場合には、ステップ５４に進み吸気絞り弁８が開弁される
これによって多量の空気がパティキュレートフィルタ１０内に流入する
次いでステップ５６に進んで還元剤供給装置１２から着火用の燃料が供給されて燃焼される
これによって、パティキュレートフィルタ１０に捕集されたパティキュレートに着火され、燃焼する
【００２６】次いでステップ５２でＴ≧Ｔ2 と判定された場合、すなわち、
パティキュレートの燃焼が完了した場合には、ステップ５８に進み経過時間Ｔが所定の第３の時間Ｔ
3
 より小さいか否かが判定される
Ｔ＜Ｔ
3
 の場合、すなわちＳＯ
X
 被毒解消操作時間内の場合にはステップ６０に進み吸気絞り弁８は再度閉弁され、ステップ６２で還元剤供給装置１２からＳＯ
X
 被毒解消用の燃料が供給される
これにより、ＮＯ
X
 吸収剤２６は高温かつリッチ雰囲気の状態になり、ＮＯ
X
 吸収剤２６に吸収されたＳＯ
X
 がＳＯ
2
 の形でＮＯ
X
 吸収剤から放出される
【００２７】また、ステップ５８でＴ≧Ｔ3 と判定された場合、すなわち、ＳＯX 被毒解消操作が完了した場合には、ステップ４２に進み吸気絞り弁８が開弁され、ステップ４４で還元剤供給装置１２からの燃料供給が禁止される。これにより、ＮＯX吸収剤２６は再び排気中のＮＯX の吸収を行う。以上のように本実施例によれば、ＮＯX 吸収剤２６をパティキュレートフィルタに担持させ、ＮＯX 吸収剤の再生操作を行った後にパティキュレートを燃焼させて、更にその後にＮＯX 吸収剤のＳＯX 被毒解消操作を行うようにしているために、以下のような効果を得ることができる。
【００２８】
パティキュレートフィルタ１０に捕集されたパティキュレートを燃焼させることにより、パティキュレートフィルタ１０に担持されたＮＯ
X
 吸収剤２６が高温になるため、ＮＯ
X
 吸収剤２６のＳＯ
X
 被毒解消操作のために別途加熱手段を設けてＮＯ
X
 吸収剤２６を加熱昇温する必要がないので簡易にＮＯ
X
 吸収剤のＳＯ
X
 被毒解消操作を行うことができる
また、ＳＯ
X
 被毒解消操作時にパティキュレートの燃焼により発生する熱を利用してＮＯ
X
 吸収剤を加熱するため、ＮＯ
X
吸収剤の加熱のために外部から供給するエネルギを大幅に低減することができる
【００２９】また、ＮＯX 吸収剤２６の再生操作実行後にパティキュレートを燃焼させるようにしているためにパティキュレート燃焼時の熱によってＮＯX 吸収剤２６に吸収されたＮＯX が大気に放出されることを防止することができ、さらに、ＮＯX吸収剤２６の再生操作時に供給された燃料がＮＯX 吸収剤２６上で燃焼しパティキュレートフィルタ１０の温度が上昇するため、これによりパティキュレートフィルタ１０に捕集されているパティキュレートが昇温され、パティキュレートの着火燃焼が容易になる。
【００３０】なお、
本実施例ではＮＯ
X
 吸収剤をパティキュレートフィルタ内の排気通路壁面に担持させているが、ＮＯ
X
 吸収剤とパティキュレートフィルタとは別個に独立させてもよい
　
　（ｆ）「【００３１】
次に図５を用いて本発明の第二の実施例について説明する
【００３２】
図５に示す実施例では
運転条件に左右されることなく任意の時期にＮＯX 吸収剤の再生等の操作を行うことが可能となる
【００３３】図５において、６はエンジン（図示せず）の排気管、６ａ、６ｂは排気管６の分岐通路、１０ａ、１０ｂは分岐通路６ａ，６ｂに配置されたパティキュレートフィルタ、９ａ、９ｂはそれぞれ分岐通路６ａ，６ｂのパティキュレートフィルタ１０ａ、１０ｂ上流側に設けられた遮断弁、９１ａ、９１ｂは遮断弁９ａ、９ｂを駆動するソレノイド、負圧アクチュエータ等の適宜な形式のアクチュエータである。本実施例においてもパティキュレートフィルタ１０ａ、１０ｂはそれぞれ図２の実施例と同様にＮＯX 吸収剤を担持した構造とされている。
【００３４】また、本実施例においては還元剤供給装置１２はそれぞれパティキュレートフィルタ１０ａ、１０ｂの上流側の分岐通路６ａ、６ｂ内に還元剤（燃料）を供給する噴射ノズル１２ａ、１２ｂを備えている。更に、本実施例では遮断弁９ａ、９ｂとパティキュレートフィルタ１０ａ、１０ｂとの間の分岐通路６ａ、６ｂに二次空気を供給する二次空気供給装置１１が設けられている。二次空気供給装置１１はエアポンプ等の空気供給源１１ｃとそれぞれ分岐通路６ａ、６ｂに空気を供給するノズル１１ａ、１１ｂとを備え、後述のＥＣＵ３０からの制御信号によりパティキュレートフィルタ１０ａ、１０ｂに二次空気を供給する。
【００３５】また、本実施例ではパティキュレートフィルタの再生操作の要否を判定するために分岐通路６ａ、６ｂの上流側の排気管６には排気管６内の排気圧力を検出する背圧センサ２１が設けられている。さらに、パティキュレートフィルタ１０ａ、１０ｂの下流側の分岐通路６ａ、６ｂには排気温度を検出する排気温度センサ２３ａ、２３ｂと、排気中の酸素濃度を検出して酸素濃度に応じた連続的な出力信号を発生する酸素濃度センサ２５ａ、２５ｂがそれぞれ配置されている。
【００３６】また、電子制御ユニット（ＥＣＵ）３０の入力ポートには背圧センサ２１、排気温度センサ２３ａ、２３ｂ、酸素濃度センサ２５ａ、２５ｂからの出力信号がそれぞれ図示しないＡ／Ｄ変換器を介して入力されている他、エンジン回転数等の信号か図示しないセンサから入力されている。さらに、ＥＣＵ３０の出力ポートは、図示しない駆動回路を通じて遮断弁９ａ、９ｂのアクチュエータ９１ａ、９１ｂ、還元剤供給装置１２のノズル１２ａ、１２ｂ、二次空気供給装置１１のエアポンプ１１ｃ、ノズル１１ａ、１１ｂにそれぞれ接続され、これらの作動を制御している。
【００３７】本実施例では、通常時遮断弁９ａ、９ｂの一方（例えば遮断弁９ａ）は分岐通路（例えば分岐通路６ａ）を閉鎖し、排気の略全量をもう一方のパティキュレートフィルタ（１０ｂ）に導いて該一方のパティキュレートフィルタでＮＯX の吸収とパティキュレートの捕集を行う。また、
このＮＯ
X
 の吸収を行っているパティキュレートフィルタ（１０ｂ）上のＮＯ
X
 吸収剤のＮＯ
X
 吸収量が増大した場合には
ＮＯ
X
 吸収量が増大したパティキュレートフィルタ（１０ｂ）に還元剤を供給してＮＯ
X
 吸収剤の再生を行う
【００３８】
また、ＥＣＵ３０は背圧センサ２１の出力から使用中のパティキュレートフィルタの排気抵抗が増大したことを検出すると
パティキュレートフィルタに捕集されたパティキュレートを燃焼させる
【００３９】更に、
パティキュレートの燃焼が完了すると遮断弁の閉弁と還元剤の供給は維持したまま二次空気の供給を停止する
これによりパティキュレートフィルタに担持されたＮＯ
X
 吸収剤は高温かつリッチ雰囲気に置かれるためＮＯ
X
 吸収剤からＳＯ
X
 が放出されＳＯ
X
 被毒が解消する
図６はＮＯ
X
 吸収剤のＳＯ
X
 被毒解消操作を示すフローチャートである
本ルーチンはＥＣＵ３０により一定時間毎に実行される
【００４０】
図６においてルーチンがスタートすると、ステップ６０１では現在使用しているパティキュレートフィルタのＮＯ
X
 吸収剤の再生操作開始条件が成立しているか否かが判断される
ＮＯ
X
 吸収剤の再生はエンジン排気温度が所定値以上（すなわち、ＮＯ
X
 吸収剤が所定の活性温度以上）であり、かつＮＯ
X
 吸収剤の使用時間（ＮＯ
X
 吸収量）が所定値（例えば１分から３分程度）に達している場合（すなわち、使用中のＮＯ
X
 吸収剤のＮＯ
X
 吸収量が所定量以上になっている場合）に実行される
【００４１】ステップ６０１でＮＯX 吸収剤の再生操作開始条件が成立している場合にはステップ６０３で遮断弁９ａ、９ｂを切換えて、再生操作を行う側のパティキュレートフィルタの分岐通路を閉鎖する。これにより、排気の略全量がもう一方の分岐通路に流れ、再生を行う側のパティキュレートフィルタには遮断弁全閉時の洩れ流量に相当する排気流量が流れるのみとなる。次いで
ステップ６０５では再生操作を行う側のパティキュレートフィルタに還元剤供給装置１２から燃料が供給される
これにより、燃料はパティキュレートフィルタに担持されたＮＯ
X
 吸収剤上で燃焼し、ＮＯ
X
 吸収剤の周囲の排気中の酸素が消費され、ＮＯ
X
 吸収剤からのＮＯ
X
 の放出と還元浄化が行われるとともに、燃焼によりＮＯ
X
 吸収剤を担持するパティキュレートフィルタの温度が上昇する
【００４２】次いでステップ６０７ではＮＯX 吸収剤の再生操作の終了条件が判定される。ＮＯX 吸収剤の再生操作は、再生操作実行中のパティキュレートフィルタの下流側の酸素濃度センサ（２５ａまたは２５ｂ）で検出した排気酸素濃度が所定値以下（略ゼロ）になった状態（排気中の酸素が全部消費された状態）から所定時間（例えば、数秒から数十秒）経過した時に終了する。
【００４３】
ステップ６０７でＮＯ
X
 吸収剤の再生操作が終了したと判断されたときにはステップ６０９でパティキュレートフィルタの再生操作を同時に行う必要があるか否かが判定される
パティキュレートフィルタの再生操作は、ＮＯ
X
 吸収剤の再生開始前に背圧センサ２１から読み込んだ排気圧力が所定値（エンジンの回転数、負荷などに応じて予め設定された値）以上か否かにより判断される
【００４４】
ステップ６０９でパティキュレートフィルタの再生操作が必要ないと判断された場合にはステップ６２１で還元剤供給装置１２からの燃料供給が停止され、遮断弁９ａ、９ｂはこのままの状態に保持され、再生後のＮＯ
X
 吸収剤は待機状態に置かれる
ステップ６０９でパティキュレートフィルタの再生操作が必要と判断された場合には続いてステップ６１１から６１５のパティキュレートフィルタの再生操作が行われる
すなわち、ステップ６１１では還元剤供給装置１２から供給される燃料の量が増量され、ステップ６１３では二次空気供給装置１１からパティキュレートフィルタに所定量の二次空気（例えば５０リットル／分程度）が供給される。これによりパティキュレートフィルタに捕集されたパティキュレートが着火、燃焼する
【００４５】
次いで、ステップ６１５では、パティキュレートの燃焼が終了したか否かが判断される
本実施例では、ステップ６１１と６１３が開始されて所定時間（例えば８分程度）が経過した場合にパティキュレートの燃焼が完了したと判断して、引き続きステップ６１７から６１９のＳＯ
X
 被毒解消操作を実行する
すなわち、ステップ６１７では遮断弁の全閉状態と還元剤供給装置１２からの還元剤供給量は維持したまま二次空気供給装置１１からの二次空気供給が停止される
前述のように、この状態ではパティキュレートの燃焼によりパティキュレートフィルタに担持されたＮＯ
X
 吸収剤は高温（５００度Ｃ以上）になっており、遮断弁の全閉状態と還元剤供給量を維持したまま二次空気の供給を停止することによりＮＯ
X
 吸収剤は通常のＮＯ
X
 吸収剤の再生操作時より大幅に高温かつリッチ雰囲気に置かれることになる
このため、ＮＯ
X
 吸収剤に吸収されたＳＯ
X
はＳＯ
2
 の形で速やかにＮＯ
X
 吸収剤から放出され、ＮＯ
X
 吸収剤のＳＯ
X
 被毒が解消する
　
　（ｇ）「【００４８】
【発明の効果】
本発明は、パティキュレートフィルタに捕集されたパティキュレートを燃焼させる際に発生する熱をＮＯ
X
 吸収剤のＳＯ
X
 被毒解消に利用することができるようにＮＯ
X
 吸収剤とパティキュレートフィルタを相互に熱伝達可能な位置に配置し、パティキュレートフィルタに捕集されたパティキュレートの燃焼を行った後にＮＯ
X
 吸収剤のＳＯ
X
 被毒解消操作を行うようにしたことにより、ＳＯ
X
 被毒解消操作のために特別な加熱手段を設けることなく簡易にＮＯ
X
 吸収剤のＳＯ
X
被毒を解消することができるとともに、ＳＯ
X
 被毒解消操作時にＮＯ
X
 吸収剤を加熱するために外部から供給するエネルギを大幅に低減できる効果を奏する
　
　上記（ａ）ないし（ｇ）及び図面から分かること。  
　  
　（ア）上記（ａ）ないし（ｇ）及び図面から、刊行物には、ＳＯX を含む、内燃機関のリーン空燃比の排気ガスからＮＯX 及びパティキュレートを除去するための方法が記載されていることが分かる。
　
　（イ）上記（ａ）ないし（ｇ）及び図面から、刊行物に記載された、ＳＯX を含む、内燃機関のリーン空燃比の排気ガスからＮＯX 及びパティキュレートを除去するための方法において、排気ガスの流れをＮＯX 吸収剤２６及びパティキュレートフィルタ１０に流入させ、その際ＮＯX 及びＳＯX は、ＮＯX 吸収剤によってリーン空燃比の排ガス下で吸収され、及びパティキュレートは、パティキュレートフィルタ１０上で捕集されることが分かる。
　
　（ウ）上記（ａ）ないし（ｇ）及び図面から、刊行物に記載された、ＳＯX を含む、内燃機関のリーン空燃比の排気ガスからＮＯX 及びパティキュレートを除去するための方法において、ＮＯX 吸収剤の再生開始条件が成立した場合に、周期的に、排気ガスの空燃比をリッチにすることにより、ＮＯX 吸収剤２６からのＮＯXの放出を行い、パティキュレートフィルタ１０の再生操作を行う必要がある場合には、周期的に、パティキュレートフィルタ１０の再生（パティキュレートフィルタ１０に捕集されたパティキュレートの燃焼）並びにＮＯX 吸収剤２６のＳＯX 被毒解消操作（ＮＯX 吸収剤２６に吸収されたＳＯX の放出）を、パティキュレートがパティキュレートフィルタ上で燃焼しかつその後にＮＯX 吸収剤が排気ガスのリッチ雰囲気によりＳＯX が放出される高温の状態に排気ガスの温度を上昇させることにより行うことが分かる。
　
　（エ）上記（ａ）ないし（ｇ）（特に「第二の実施例」を参照。）及び図面（特に【図６】を参照。）から、刊行物に記載された、ＳＯX を含む、内燃機関のリーン空燃比の排気ガスからＮＯX 及びパティキュレートを除去するための方法において、ＮＯX 吸収剤の再生開始条件が成立した場合（【図６】のステップ６０１）には、（周期的に）ＮＯX 吸収剤２６からのＮＯXの放出を行い、さらに、パティキュレートフィルタ１０の再生を行う必要がある場合（【図６】のステップ６０９）には、（周期的に）パティキュレートフィルタ１０の再生並びにＮＯX 吸収剤２６からのＳＯX の放出を（周期的に）行うことが分かる。（また、後述するように、この「第二の実施例」の場合には、「ＮＯX 吸収剤の再生」と、「パティキュレートフィルタの再生」とは、異なる周期で行われているといえる。）
　
　上記（ａ）ないし（ｇ）及び（ア）ないし（エ）並びに図面から、刊行物には、次の発明（以下、「刊行物に記載された発明」という。）が記載されているといえる。 
　
　「ＳＯX を含む、内燃機関のリーン空燃比の排気ガスからＮＯX 及びパティキュレートを除去するための方法において、
排気ガスの流れをＮＯX 吸収剤２６及びパティキュレートフィルタ１０に流入させ、その際ＮＯX 及びＳＯX は、ＮＯX 吸収剤によってリーン空燃比の排ガス下で吸収され、及びパティキュレートは、パティキュレートフィルタ１０上で捕集され、ＮＯX 吸収剤の再生開始条件が成立した場合に周期的に排気ガスの空燃比をリッチにすることにより、ＮＯX 吸収剤２６からのＮＯXの放出を行い、パティキュレートフィルタ１０の再生並びにＮＯX 吸収剤２６からのＳＯX の放出を、周期的に、パティキュレートがパティキュレートフィルタ上で燃焼しかつその後にＮＯX 吸収剤が排気ガスのリッチ雰囲気によりＳＯX が放出される高温の状態に排気ガスの温度を上昇させることにより行う、内燃機関のリーン空燃比の排気ガスからＮＯX 及びパティキュレートを除去するための方法。」
　
　また、上記（エ）及び図面（特に【図６】を参照。）から、刊行物には、次の技術（以下、「刊行物に記載された技術」という。）が記載されているといえる。
　
　「ＳＯX を含む、内燃機関のリーン空燃比の排気ガスからＮＯX 及びパティキュレートを除去するための方法において、
　ＮＯX 吸収剤の再生開始条件が成立した場合に、（周期的に）ＮＯX 吸収剤２６からのＮＯXの放出を行い、
　さらに、パティキュレートフィルタ１０の再生を行う必要がある場合には、パティキュレートフィルタ１０の再生並びにＮＯX 吸収剤２６からのＳＯX の放出を（周期的に）行う技術。」
　
　
第４　本願発明と刊行物に記載された発明との対比
　本願発明と刊行物に記載された発明とを対比するに、刊行物に記載された発明における「ＳＯX を含む」は、技術的意義からみて、本願発明における「硫黄酸化物の僅かな濃度をも有する」に相当し、以下同様に、「リーン空燃比の排気ガス」は「希薄排ガス」に、「ＮＯX 」は「窒素酸化物」に、「パティキュレート」は「カーボンブラック粒子」に、「排気ガスの流れ」は「排ガス流」に、「ＮＯX 吸収剤２６」は「窒素酸化物蓄積触媒」及び「蓄積触媒」に、「パティキュレートフィルタ１０」は「粒子フィルター」に、「ＳＯX 」は「硫黄酸化物」に、「吸収され」は「吸着され」に、「捕集され」は「析出され」に、「排気ガスの空燃比をリッチにすること」は「排ガスの過濃化」に、「ＮＯX 吸収剤２６からのＮＯXの放出を行い」は「蓄積触媒を脱ニトロ化し」に、「パティキュレートフィルタ１０の再生」は「粒子フィルターの再生」に、「ＮＯX 吸収剤２６からのＳＯX の放出」は「窒素酸化物蓄積触媒の脱硫」に、それぞれ相当する。
　また、刊行物に記載された発明における「パティキュレートがパティキュレートフィルタ上で燃焼し」は、技術的意義からみて、本願発明における「カーボンブラック焙焼残分が粒子フィルター上で引火し」に、「ＮＯX 吸収剤が排気ガスのリッチ雰囲気によりＳＯX が放出される高温の状態に排気ガスの温度を上昇させることにより、（ＮＯX 吸収剤２６からのＳＯX の放出を）行う」は「蓄積触媒が排ガスの過濃化により脱硫されうる値に希薄排ガスの温度を上昇させることにより、（窒素酸化物蓄積触媒の脱硫を）行なう」に、それぞれ相当する。
　また、刊行物に記載された発明における「周期的に」は、「周期的に」である限りにおいて、本願発明における「第１の作業周期で」及び「第２の作業周期で」に相当する。
　
　してみると、本願発明と刊行物に記載された発明は、
　「ＳＯX を含む、内燃機関のリーン空燃比の排気ガスからＮＯX 及びパティキュレートを除去するための方法において、
排気ガスの流れをＮＯX 吸収剤２６及びパティキュレートフィルタ１０に流入させ、その際ＮＯX 及びＳＯX は、ＮＯX 吸収剤によってリーン空燃比の排ガス下で吸収され、及びパティキュレートは、パティキュレートフィルタ１０上で捕集され、周期的に排気ガスの空燃比をリッチにすることにより、ＮＯX 吸収剤２６からのＮＯXの放出を行い、パティキュレートフィルタ１０の再生並びにＮＯX 吸収剤２６からのＳＯX の放出を、周期的に、パティキュレートがパティキュレートフィルタ上で燃焼しかつその後にＮＯX 吸収剤が排気ガスのリッチ雰囲気によりＳＯX が放出される高温の状態に排気ガスの温度を上昇させることにより行う、内燃機関のリーン空燃比の排気ガスからＮＯX 及びパティキュレートを除去するための方法。」
　である点で一致し、次の（ａ）の点で相違する。
　
＜相違点＞
（ａ）本願発明においては、蓄積触媒を「第１の作業周期で」周期的に排ガスの過濃化によって脱ニトロ化し、粒子フィルターの再生ならびに窒素酸化物蓄積触媒の脱硫を、「第２の作業周期で」、行なうのに対し、刊行物に記載された発明においては、ＮＯX 吸収剤〔蓄積触媒〕を「再生開始条件が成立した場合に」周期的に排気ガスの空燃比をリッチにすること〔過濃化〕により、ＮＯX 吸収剤２６からのＮＯXの放出〔脱ニトロ化〕を行い、パティキュレートフィルタ１０の再生〔粒子フィルターの再生〕並びにＮＯX 吸収剤２６からのＳＯX の放出〔窒素酸化物蓄積触媒の脱硫〕を、「パティキュレートフィルタ１０の再生を行う必要がある場合に」、行う点（以下、「相違点」という。なお、〔　〕内には対応する本願発明の発明特定事項を記載した。）。
　
　
第５　相違点についての検討・判断
　本願発明における「第１の作業周期」と「第２の作業周期」の技術的意義を知るために、発明の詳細な説明を参照すると、例えば段落【００２２】には、「第１の作業周期において、排ガス中に含有されている窒素酸化物および硫黄酸化物は、蓄積触媒上で希薄排ガス条件で硝酸塩および硫酸塩の形で蓄積され、蓄積触媒は、窒素酸化物蓄積能の消耗後に過濃化排ガス条件下で脱ニトロ化される。（中略）蓄積および脱ニトロ化からなるこの第１の作業周期の時間的長さは、比較的に短い。全体の長さは、０．５〜２０分間であり、一方で、脱ニトロ化の時間は、１〜２０秒にすぎない。」と記載され、段落【００２５】には、「この方法の第２の作業周期において、粒子フィルターは再生され、窒素酸化物蓄積触媒は脱硫される。排ガス中に含有されているカーボンブラックを粒子フィルター上に析出させることによって、排ガス逆圧は連続的に高められ、したがって粒子フィルターも周期的にカーボンブラックの燃焼によって再生されなければならない。（中略）経験によれば、粒子フィルターは、例えば全部で１０００ｋｍの走行効率を再現させなければならない。したがって、第２の作業周期は、一般に本質的に本方法の第１の作業周期よりも長い。」と記載されている。すなわち、「第１の作業周期」は、蓄積触媒上に蓄積した窒素酸化物を脱ニトロ化するために適した作業周期であり、時間的長さは比較的短く、「第２の作業周期」は、粒子フィルターをカーボンブラックの燃焼によって再生させなければならない周期であって、時間的長さは比較的長いことが分かる。
　他方、上記刊行物に記載された技術は、「ＳＯX を含む、内燃機関のリーン空燃比の排気ガスからＮＯX 及びパティキュレートを除去するための方法において、ＮＯX 吸収剤の再生開始条件が成立した場合に、（周期的に）ＮＯX 吸収剤２６からのＮＯXの放出を行い、さらに、パティキュレートフィルタ１０の再生を行う必要がある場合には、パティキュレートフィルタ１０の再生並びにＮＯX 吸収剤２６からのＳＯX の放出を（周期的に）行う技術。」というものであり、第二の実施例を参照すると、「ＮＯX 吸収剤のＮＯX 吸収量が増大した場合には、（中略）ＮＯX 吸収量が増大したパティキュレートフィルタ（１０ｂ）に還元剤を供給してＮＯX 吸収剤の再生を行い（段落【００３７】を参照。）、パティキュレートフィルタの排気抵抗が増大したことを検出すると、パティキュレートフィルタ上に捕集されたパティキュレートを燃焼させる（段落【００３８】を参照。）というものであるから、本願発明における制御と軌を一にするものである。
　さらに、刊行物の図６及びその説明を参照すると、ステップ６０１でＮＯX 吸収剤の再生操作開始条件が成立しているか否かが判断され（段落【００４０】を参照。）、ステップ６０７でＮＯX 吸収剤の再生操作が終了したと判断されたときにはステップ６０９でパティキュレートフィルタの再生操作を同時に行う必要があるか否かが判定され（段落【００４３】を参照。）、ステップ６０９でパティキュレートフィルタの再生操作が必要ないと判断された場合には、再生後のＮＯX 吸収剤は待機状態に置かれ、ステップ６０９でパティキュレートフィルタの再生操作が必要と判断された場合には続いてステップ６１１から６１５のパティキュレートフィルタの再生操作が行われる（段落【００４４】を参照。）。したがって、パティキュレートフィルタの再生操作は、ＮＯX 吸収剤の再生操作よりも長い周期で行われる。
　そうすると、上記相違点に係る本願発明の発明特定事項は、刊行物に記載された発明において、刊行物に記載された技術を適用することにより、当業者が容易に想到し得たものであるといえる。
　
　また、ＮＯX 吸収剤の再生タイミングを第１の周期で行い、パティキュレートフィルタの再生タイミングを第２の周期で行う技術は、本願の優先日前に周知の技術（以下、「周知技術」という。例えば、特開平９−５３４４２号公報の段落【００２４】ないし段落【００３０】及び図５の記載等を参照。）でもある。
　してみると、上記相違点に係る本願発明の発明特定事項は、刊行物に記載された発明において、周知技術を適用することにより、当業者が容易に想到し得たものであるといえる。
　
　また、本願発明を全体としてみても、刊行物に記載された発明、刊行物に記載された技術及び周知技術から想定される以上の格別の作用効果を奏するものとは認められない。
　
　
　なお、審判請求人は、平成２４年３月９日付け回答書において、「・・・引用文献１ではパティキュレート着火用燃料供給手段と補助的加熱手段を設けるものである。これに対し、本願発明１の第２の作業周期は「蓄積触媒が排ガスの過濃化により脱硫されうる値に希薄排ガスの温度を上昇させる」、すなわち、「粒子フィルターの再生のために、排ガス温度は４００℃から約６００℃へ上昇」（［００４３］第３文）させる点で、引用文献１とは「課題の解決手段」が顕著に相違する。」（回答書第４ページ第１０ないし１５行）と主張しているが、刊行物（引用文献１）に記載された発明は、そもそも、「
本発明は、上記問題に鑑み、特別な加熱手段を設けることなく簡易にＮＯ
X
 吸収剤のＳＯ
X
 被毒解消操作を行うことのできる内燃機関の排気浄化装置を提供することを目的としている
パティキュレートフィルタ１０に捕集されたパティキュレートを燃焼させることにより、パティキュレートフィルタ１０に担持されたＮＯ
X
 吸収剤２６が（５００度Ｃ以上の）高温になるため、ＮＯ
X
 吸収剤２６のＳＯ
X
 被毒解消操作のために別途加熱手段を設けてＮＯ
X
 吸収剤２６を加熱昇温する必要がないので簡易にＮＯ
X
 吸収剤のＳＯ
X
 被毒解消操作を行うことができる
また、ＳＯ
X
 被毒解消操作時にパティキュレートの燃焼により発生する熱を利用してＮＯ
X
 吸収剤を加熱するため、ＮＯ
X
吸収剤の加熱のために外部から供給するエネルギを大幅に低減することができる
　
　
第６　むすび
　以上のとおり、本願発明は、刊行物に記載された発明、刊行物に記載された技術及び周知技術に基づいて当業者が容易に発明をすることができたものであるから、特許法第２９条第２項の規定により特許を受けることができない。 
　よって、結論のとおり審決する。